(57)【要約】  凝集洗濯機は外槽と、外槽内に設けられる衣類洗浄構造と、外槽外部に設けられる循環水処理装置とを含む。前記循環水処理装置は、洗濯水を凝集処理する凝集処理ユニットを含む。凝集処理ユニットはろ過装置を介して外槽とつながり、凝集水をろ過処理した後に外槽に戻す。ろ過装置に溢水口（１５）が設けられ、前記溢水口（１５）部分に溢水流速を測定する流量センサが設けられる。上記洗濯機の制御方法は、ろ過装置（１０）の溢水流速および／または凝集槽の液面高さをリアルタイムで測定し、測定値および設定値の関係に基づいて、ろ過装置（１０）の目詰まり状態を判断することを含む。ろ過装置（１０）の溢水水流および／または凝集槽の液面高さの下降速度が、設定値より大きいかどうかを判断することにより、ろ過装置の目詰まり状態を確定し、ろ過装置のフィルタ素子を洗浄、交換する必要があるかどうかを精確に判断する根拠を提供する目的を実現する。【選択図】図２
2018515283.tif 000002
【特許請求の範囲】
【請求項１】
外槽と、外槽内に設けられる衣類洗浄構造と、外槽外部に設けられる循環水処理装置とを含み；前記循環水処理装置は、洗濯水を凝集処理する凝集処理ユニットを含み；凝集処理ユニットはろ過装置を介して外槽とつながり、凝集水をろ過処理した後に外槽に戻す凝集洗濯機であって、ろ過装置に溢水口が設けられ、前記溢水口部分に溢水流速を測定する流量センサが設けられることを特徴とする洗濯機。
【請求項２】
前記溢水口が、第１流量センサを有する溢水管を介して凝集槽と通じることを特徴とする、請求項１に記載の洗濯機。
【請求項３】
ろ過装置はろ過空洞を構成し、ろ過空洞内に取外し、交換可能なフィルタ素子が設けられ、前記フィルタ素子はろ過空洞を独立した２つの部分に分けることを特徴とする、請求項１または２に記載の洗濯機。
【請求項４】
ろ過装置の溢水口部分に、溢水管の導通、遮断を制御する圧制御弁が設けられ、溢水管中の水流をろ過装置から凝集槽に向かって、単一方向のみで流動させることができることを特徴とする、請求項２に記載の洗濯機。
【請求項５】
ろ過装置の出水口部分に、出水流速を測定する第２流量センサが設けられ；
および／または、凝集槽中に水位高さを測定する水位センサが設けられることを特徴とする、請求項３に記載の洗濯機。
【請求項６】
ろ過装置の溢水流速および／または凝集槽の液面高さをリアルタイムで測定し、測定値および設定値の関係に基づいて、ろ過装置の目詰まり状態を判断することを特徴とする、凝集洗濯機の制御方法。
【請求項７】
ろ過装置の溢水流速の測定値が０より大きく、設定値Ｖ１より小さいとき、ろ過装置の目詰まりは軽微であると判断し、ろ過装置の取水流速を低下させ；
ろ過装置の溢水流速の測定値が設定値Ｖ１より大きいとき、ろ過装置の目詰まりは重度であると判断し、ろ過装置への取水を停止することを特徴とする、請求項６に記載の制御方法。
【請求項８】
一定時間ｔ内で、ろ過装置の出水流速の測定値が終始設定値Ｖ２より小さいと、ろ過装置が目詰まりしていると判断することを特徴とする、請求項７に記載の制御方法。
【請求項９】
一定時間ｔ内で、凝集槽中の凝集水における液面高さの下降値が設定値ｈより小さいと、ろ過装置が目詰まりしていると判断することを特徴とする、請求項７に記載の制御方法。
【請求項１０】
ろ過装置の目詰まりが軽微であるとき、ろ過装置のフィルタ素子を洗浄する必要があるという指示信号を発し；
ろ過装置の目詰まりが重度であるとき、ろ過装置のフィルタ素子を交換する必要があるという指示信号を発することを特徴とする、請求項７から９のいずれか１項に記載の制御方法。
【発明の詳細な説明】
【技術分野】
【０００１】
本発明は洗濯機分野に関し、具体的に循環節水機能を有する凝集洗濯機であり、さらに上記凝集洗濯機の制御方法に関する。
【背景技術】
【０００２】
人々の生活水準が向上するのに伴い、洗濯機はすでに日常生活における主要な家電の一つとなっている。洗濯機の衣類洗浄過程は主に、洗濯、すすぎ、脱水の数段階を含み、洗濯段階で洗濯機は取水し、洗剤で衣類を洗濯する。すすぎ段階に進むと、汚れおよび残った洗剤を洗い流すため、より多くの水を取水するか、またはより多くの回数で衣類をすすぐ必要があり、これは必然的に大量の水資源を浪費する。たとえ節水のドラム式洗濯機であっても、衣類をすすぐため、少なくとも２回のすすぎが必要であり、この過程は少なくとも３０Ｌ以上の水道水を消費する。衣類の汚れが比較的少ないか、または投入する洗剤が比較的少なく、２回できれいにすすぐことができることもあるが、ユーザが３回のすすぎを選択することにより、必然的に水資源の浪費となる。例えば６Ｋｇの全自動洗濯機は、一般的に２回すすぐと基本的に１００リットル前後の水を使用する。どのようにして衣類を洗浄するのと同時に、節水、節電を行うかは、常に消費者の関心を集める焦点の１つである。
【０００３】
したがって、出願人は以前に中国特許出願番号第２０１３１０３５６４２８．５号を出願している。循環水処理機能を有する洗濯機およびその制御方法であり、洗濯機は外槽と、外槽内に設けられる衣類洗浄構造と、外槽の下方に設けられる水の凝集処理装置とを含む。前記水の凝集処理装置は凝集処理ユニットおよびろ過ユニットを含み、凝集処理ユニットは、外槽と通じる凝集槽と、凝集槽内に凝集剤を投入する凝集剤投入装置とを含み、外槽から凝集槽内に排水して凝集処理を行う。ろ過ユニットはろ過容器と、ろ過容器内に設けられるフィルタメッシュとを含み、ろ過容器は凝集槽および外槽とそれぞれ通じる。凝集槽内の凝集処理した水をろ過した後、外槽内に排出して再度使用する。本出願は洗濯が終了するまで、水を繰り返し凝集ろ過処理し、水を水の凝集処理装置に排出して凝集処理ユニットおよびろ過ユニットを洗浄し、最後に排出する。本出願は水資源を節約し、水の汚染を減少させ、環境を保護する特徴を有する。
【０００４】
ろ過ユニットが凝集水をろ過処理する過程において、時間の推移に伴って凝集物が大量にフィルタ素子に残る。そのため、フィルタ素子が目詰まりしてろ過効率が低下し、さらには完全に目詰まりする。
【０００５】
このことを考慮して、特に本発明を示す。
【先行技術文献】
【特許文献】
【０００６】
【特許文献１】中国特許出願番号第２０１３１０３５６４２８．５号明細書
【発明の概要】
【発明が解決しようとする課題】
【０００７】
本発明が解決しようとする技術的問題は、既存技術の不足を克服することであり、凝集洗濯機を提供して、ろ過装置の目詰まり状態を測定する目的を達成する。
【課題を解決するための手段】
【０００８】
上記技術的問題を解決するため、本発明が採用する技術案の基本的構想は以下の通りである。
凝集洗濯機は、外槽と、外槽内に設けられる衣類洗浄構造と、外槽外部に設けられる循環水処理装置とを含む。前記循環水処理装置は、洗濯水を凝集処理する凝集処理ユニットを含む。凝集処理ユニットはろ過装置を介して外槽とつながり、凝集水をろ過処理した後に外槽に戻す。ろ過装置に溢水口が設けられ、前記溢水口部分に溢水流速を測定する流量センサが設けられる。
【０００９】
さらに、前記溢水口は、第１流量センサを有する溢水管を介して凝集槽と通じる。
【００１０】
さらに、ろ過装置はろ過空洞を構成し、ろ過空洞内に取外し、交換可能なフィルタ素子が設けられ、前記フィルタ素子はろ過空洞を独立した２つの部分に分ける。第１部分に取水口および溢水口が設けられ、第２部分に出水口が設けられ、取水口は凝集槽と通じ、出水口は外槽と通じる。取水口からろ過空洞の第１部分に流入する凝集水は、フィルタ素子によりろ過処理され、ろ過後の清浄水は第２部分に流入し、出水口から外槽に戻り、凝集物はろ過空洞の第１部分中に残る。
【００１１】
さらに、ろ過装置の溢水口部分に、溢水管の導通、遮断を制御する圧制御弁が設けられ、溢水管中の水流をろ過装置から凝集槽に向かって、単一方向のみで流動させることができる。
【００１２】
さらに、ろ過装置の出水口部分に、出水流速を測定する第２流量センサが設けられる。および／または、凝集槽中に水位高さを測定する水位センサが設けられる。
【００１３】
本発明のもう１つの目的は、上記のいずれか１つに記載の凝集洗濯機の制御方法を提供することであり、ろ過装置の目詰まり状態を速やかに、正確に判断する目的を実現する。
【００１４】
上記目的を実現するため、採用する技術案の基本的構想は以下の通りである。
凝集洗濯機の制御方法であって、ろ過装置の溢水流速および／または凝集槽の液面高さをリアルタイムで測定し、測定値および設定値の関係に基づいて、ろ過装置の目詰まり状態を判断することを特徴とする方法。
【００１５】
さらに、ろ過装置の溢水流速の測定値が０より大きく、設定値Ｖ１より小さいとき、ろ過装置の目詰まりは軽微であると判断し、ろ過装置の取水流速を低下させる。ろ過装置の溢水流速の測定値が設定値Ｖ１より大きいとき、ろ過装置の目詰まりは重度であると判断し、ろ過装置への取水を停止する。
【００１６】
さらに、一定時間ｔ内で、ろ過装置の出水流速の測定値が終始設定値Ｖ２より小さいと、ろ過装置が目詰まりしていると判断する。好ましくは、ろ過装置の目詰まりは軽微であると判断する。
【００１７】
さらに、一定時間ｔ内で、凝集槽中の凝集水における液面高さの下降値が設定値ｈより小さいと、ろ過装置は目詰まりしていると判断する。好ましくは、ろ過装置の目詰まりは重度であると判断する。
【００１８】
さらに、ろ過装置の目詰まりが軽微であるとき、ろ過装置のフィルタ素子を洗浄する必要があるという指示信号を発する。ろ過装置の目詰まりが重度であるとき、ろ過装置のフィルタ素子を交換する必要があるという指示信号を発する。
【発明の効果】
【００１９】
上記技術案を採用すると、本発明は既存技術と比較して、以下の有益な効果を有する。
１、ろ過装置の溢水水流の流速を測定し、溢水水流が設定値より大きいかどうかを判断することにより、ろ過装置の目詰まり状態を確定し、ろ過装置のフィルタ素子を洗浄、交換する必要があるかどうかを精確に判断する根拠を提供することを実現する。
２、ろ過装置の取水水流および／または凝集槽の水位の変化率を測定し、ろ過装置の出水流速または凝集槽の液面の変化率を判断することにより、ろ過装置の目詰まり状態を間接的に測定する目的を達成する。同時に、測定手段を多様化して、目詰まりの判断に対する測定精度を高める。
３、目詰まり状態に基づいて、取水流速を合理的に低下させるか、または取水を停止して、溢水水流が過度に多く、ろ過効率に影響を及ぼすのを防止する。同時に、目詰まりが軽微または重度であるとき、対応するフィルタ素子を洗浄または交換する必要があるという指示信号をそれぞれ発し、ユーザが対応する正確な操作を行うように導く。
４、本発明の構造は簡単で、方法は簡潔であり、効果は顕著で、幅広い使用に適している。
【図面の簡単な説明】
【００２０】
【図１】図１は、本発明の実施例における洗濯機の構造概要図である。
【図２】図２は、本発明の実施例におけるろ過装置の構造概要図である。
【図３】図３は、本発明のもう１つの実施例におけるろ過装置の構造概要図である。
【図４】図４は、本発明のもう１つの実施例における洗濯機の構造概要図である。
【発明を実施するための形態】
【００２１】
以下、図を組み合わせて、本発明の発明を実施するための形態について、さらに詳細に記載する。
【００２２】
図１に示すように、本発明の実施例の前記洗濯機は、内部に既存の洗濯機構造が設けられ、さらに循環水処理装置が設けられる。洗濯機構造は外槽、外槽内に設けられる内槽、ドア体、制御パネル、取水システムおよび洗濯モータを含む。外槽底部および上部は、それぞれダンパおよびサスペンションスプリングにより筐体のフレームと接続され、取水システムは取水構造および洗剤自動投入装置を含む。前記外槽は洗濯水を収容する収容構造であり、外槽内に設けられる内槽は衣類洗浄構造である。外槽は、取水構造と通じる。
【００２３】
本発明の実施例の前記循環水処理装置は、少なくとも凝集処理ユニットを含む。凝集処理ユニットは、外槽と通じる凝集槽と、凝集槽内に凝集剤を投入する凝集剤投入装置とを含み、外槽から凝集槽内に排水して凝集処理を行う。
【００２４】
前記凝集槽に取水口、戻り口およびドレン口が設けられる。外槽の出水口は、第１水ポンプを有する管路を介して凝集槽の取水口と通じ、凝集槽の戻り口は、第２水ポンプを有する管路を介して外槽の取水口と通じ、これにより洗濯水が外槽および凝集槽の間で制御可能に循環する回路が形成される。前記凝集槽のドレン口は、排水弁を有する管路を介して洗濯機外部と通じ、洗濯完了後の汚れた水および凝集物を外部に排出する。
【００２５】
好ましくは、循環水処理装置はろ過ユニットを含むこともできる。ろ過ユニットは、凝集処理ユニットが処理した後の凝集処理水をろ過処理して、凝集物および清浄水を分離する。凝集物および清浄水の分離を実現するのに、ろ過装置を採用しなくてもよい。例えば、凝集槽中に水位センサを設置することにより、凝集槽中の液面を終始一定の高さに保持する。これにより凝集槽の水面部分に浮いた凝集物は終始凝集槽中に残り、凝集水中の凝集物を除去する目的も達成した。
【００２６】
図２および図３に示すように、本発明の実施例において、ろ過ユニットはろ過装置１０を含み、前記ろ過装置１０内部の中空はろ過空洞１１を構成する。好ましくは、前記ろ過空洞１１は密閉され、耐圧設置される。ろ過空洞１１内部に取外し、交換可能なフィルタ素子１２が設けられ、前記フィルタ素子１２はろ過空洞を独立した２つの部分に分ける。第１部分Ａに取水口１３および溢水口１５が設けられ、第２部分Ｂに出水口１４が設けられ、取水口１３は凝集槽２０と通じ、出水口１４は外槽と通じる。取水口１３からろ過空洞の第１部分Ａに流入する凝集水は、フィルタ素子１２によりろ過処理され、ろ過後の清浄水は第２部分Ｂに流入して、出水口１４から外槽に戻り、凝集物はろ過空洞１１の第１部分Ａ中に残る。
【００２７】
好ましくは、前記フィルタ素子１２はフィルタコットンであり、前記フィルタコットンは水平または垂直に設置されて、ろ過空洞１１の内部を相対する独立した２つの部分に隔てる。当然、本発明の実施例におけるフィルタ素子は、フィルタメッシュ、フィルタメンブレンなど、凝集物をろ過する機能を有する既存のいずれか１つのフィルタ素子構造でもよい。
【００２８】
本発明の実施例において、ろ過装置の溢水口１５部分に、溢水流速を測定する流量センサ１６が設けられ、および／またはろ過装置の出水口１４部分に出水流速を測定する第２流量センサ１９が設けられ、および／または凝集槽２０中に、内部の水位高さを測定する水位センサ２１が設けられる。溢水流速の測定値、出水流速の測定値および水位高さの測定値を設定値と比較することにより、ろ過装置の目詰まり状態を精確に判断することを実現する。
【実施例】
【００２９】
実施例１
図２に示すように、本実施例において、前記ろ過装置１０の溢水口１５は、溢水管３０を介して凝集槽２０と通じ、これによりろ過装置１０部分の溢水水流は、溢水管３０から凝集槽２０中に流入する。前記溢水管３０に、溢水流速を測定する第１流量センサ１６が設けられる。
【００３０】
本実施例において、第１流量センサ１６の測定値をシステム中の所定の設定値Ｖ１と比較すると、以下の状態が存在する。
状態１、ろ過装置の溢水流速の測定値が０と等しいとき、ろ過装置は目詰まりしていないと判断し、ろ過装置は正常に動作する。
状態２、ろ過装置の溢水流速の測定値が０より大きく、設定値Ｖ１より小さいとき、ろ過装置の目詰まりは軽微であると判断し、ろ過装置の取水流速を低下させ、ろ過装置のフィルタ素子を洗浄する必要があるという指示信号を発する。
状態３、ろ過装置の溢水流速の測定値が設定値Ｖ１より大きいとき、ろ過装置の目詰まりが重度であると判断し、ろ過装置への取水を停止し、ろ過装置のフィルタ素子を交換する必要があるという指示信号を発する。
【００３１】
上記装置および方法により、溢水流速の測定値を設定値と比較し、ろ過装置のフィルタ素子の目詰まり状態を精確に判定することを実現する。同時に、目詰まり状態に基づいて、取水流速を合理的に低下させるか、または取水を停止して、溢水水流が過度に多くなり、ろ過効率に影響を及ぼすのを防止する。
【００３２】
図２に示すように、本実施例において、前記ろ過装置１０の溢水口１５部分に、溢水管の導通、遮断を制御する圧制御弁１７が設けられる。圧制御弁１７は正常な状態では閉鎖している。ろ過空洞１１中の貯水が多すぎて、圧力上昇が圧制御弁の限度値を超えると、圧制御弁１７は開いた状態になる。これにより、溢水管３０中の水流をろ過装置１０から凝集槽２０に向かって、単一方向のみで流動させることができ、溢水管３０中の水流方向が変わり、溢水水流が逆流するのを防止する。
【００３３】
図２に示すように、本実施例において、ろ過装置１０の溢水口１５は、溢水空洞１８を介して溢水管３０と通じる。前記溢水空洞１８はろ過装置１０の外側壁にあり、開放して設置される。溢水管に溢水空洞を設置することにより、圧力の安定化、減速の作用を発揮し、これにより溢水水流の流速が低下する。溢水水流が凝集槽中に流入し、液面部分に浮いた凝集物に対して大きすぎる衝撃となり、凝集物を散らすのを防止する。
【００３４】
本実施例において、前記設定値Ｖ１は、凝集槽からろ過装置への取水流速Ｖと関係し、前記Ｖ１／Ｖの値は、０．１〜０．９の間にある。上記設定値Ｖ１を設定することにより、ろ過装置は、溢水流量が比較的少ないとき、取水流速を低下させて、凝集水をろ過処理することを実現し、凝集処理の進度に影響を及ぼさない目的を達成する。さらに、溢水流量が比較的多いとき、取水を停止して、洗濯機が終始凝集ろ過プログラムの状態にあるのを防止する。
【００３５】
実施例２
図３に示すように、本実施例において、ろ過装置１０の出水口１４部分に、出水流速を測定する第２流量センサ１９が設けられる。
【００３６】
本実施例において、第２流量センサ１９の測定値をシステム中の所定の設定値Ｖ２と比較すると、以下の状態が存在する。
状態１１、ろ過装置の出水流速が設定値Ｖ２より大きいとき、ろ過装置が目詰まりしていないと判断し、ろ過装置は正常に動作する。
状態１２、一定時間ｔ内で、ろ過装置の出水流速の測定値が終始設定値Ｖ２より小さいと、ろ過装置が目詰まりしていると判断する。
【００３７】
好ましくは、本実施例において、状態１２のとき、ろ過装置の目詰まりは軽微であると判断する。ろ過装置の取水流速を低下させ、ろ過装置のフィルタ素子を洗浄する必要があるという指示信号を発する。
【００３８】
ろ過装置の出水口部分に第２流量センサを設けることにより、出水流速の測定値を利用して、フィルタ素子の目詰まりの程度を精確に判断することを達成する。さらに、第１流量センサおよび第２流量センサでそれぞれ測定して判断し、目詰まりの判断を多様化することを実現し、目詰まりを判断する精度を高める目的を達成する。
【００３９】
本実施例において、前記設定値Ｖ２は、凝集槽からろ過装置への取水流速Ｖと関係する。前記Ｖ２＝Ｖ−Ｖ１であり、Ｖ２／Ｖの値は０．９〜０．１の間にある。
【００４０】
実施例３
図１および図４に示すように、本実施例において、凝集槽２０に、内部の水位高さを測定する水位センサ２１が設けられる。
【００４１】
本実施例において、水位センサ２１の測定値をシステム中の所定の設定値ｈと比較すると、以下の状態が存在する。
状態２１、ろ過装置の出水流速が設定値Ｖ２より大きいとき、ろ過装置は目詰まりしていないと判断し、ろ過装置は正常に動作する。
状態２２、一定時間ｔ内で、凝集槽中の凝集水における水位高さの下降値が設定値ｈより小さいと、ろ過装置が目詰まりしていると判断する。
【００４２】
好ましくは、本実施例において、状態２２のとき、ろ過装置の目詰まりは重度であると判断し、ろ過装置への取水を停止し、ろ過装置のフィルタ素子を交換する必要があるという指示信号を発する。
【００４３】
凝集槽中に水位センサを設置することにより、凝集槽の水位高さの測定値を利用して、フィルタ素子の目詰まりの程度を間接的に精確に判断することを達成する。さらに、水位センサは単独で使用することも、水位センサを第１流量センサおよび／または第２流量センサと同時に使用することもできる。複数の測定パラメータを利用してそれぞれ判断し、目詰まりの判断の多様化を実現し、目詰まりを判断する精度を高める目的を達成する。
【００４４】
上記実施例中の実施案はさらに組み合わせるか、または置換することができる。さらに実施例は本発明の好ましい実施例を記載したに過ぎず、本発明の構想および範囲を限定しない。本発明の設計の発想を逸脱しない前提で、当業者が本発明の技術案に対して行う各種の変更および改良は、いずれも本発明の保護範囲に属する。
【符号の説明】
【００４５】
１０  ろ過装置
１１  ろ過空洞
１２  フィルタ素子
１３  取水口
１４  出水口
１５  溢水口
１６  第１流量センサ
１７  圧制御弁
１８  溢水空洞
１９  第２流量センサ
２０  凝集槽
２１  水位センサ
３０  溢水管
【図１】
2018515283.tif 000003
【図２】
2018515283.tif 000004
【図３】
2018515283.tif 000005
【図４】
2018515283.tif 000006
【手続補正書】
【提出日】平成30年1月26日(2018.1.26)
【手続補正１】
【補正対象書類名】図面
【補正対象項目名】図１
【補正方法】変更
【補正の内容】
【図１】
2018515283.tif 000007
【国際調査報告】
2018515283.tif 000008
2018515283.tif 000009
2018515283.tif 000010
2018515283.tif 000011
2018515283.tif 000012